【手続補正書】
【提出日】平成29年2月6日(2017.2.6)
【手続補正１】
【補正対象書類名】明細書
【補正対象項目名】０００７
【補正方法】変更
【補正の内容】
【０００７】
上記目的を達成するために、本発明は、建物に設けられる複数の居室と、災害発生時に避難階段となる複数の階段室と、前記建物の各階の天井に設けられる複数個の熱感知器及び煙感知器とを有し、前記居室のドアの近傍に設けられ、前記居室の居住者に配布されるＩＤカードに記憶される認証コードを読み込むカードリーダと、前記カードリーダが読み込んだ認証コードに対し、当該ドアに設けた電気錠の解錠の要否を判断する電気錠施解錠判定装置と、前記電気錠施解錠判定装置の判断結果から前記居室毎の在室人数を検出する在室人数検出部と、前記電気錠施解錠判定装置が判断した前記電気錠の解錠の要否に応じ、前記カードリーダに設けたＬＥＤを点灯させるＬＥＤ制御装置と、を備えた入退室管理装置において、前記在室人数検出部は、前記建物の前記居室の在室人数を計数するとともに、各階床毎の総在室人数に対する前記居室の在室人数割合を演算するものから成り、前記複数個の前記熱感知器及び前記煙感知器のいずれかが動作すると、前記熱感知器及び前記煙感知器が最初に動作した火元階並びに、火元階の直上階及び直下階以外の各階における避難階段を、前記在室人数検出部が演算した在室人数割合に基づき設定する避難階段設定手段と、前記避難階段設定手段で設定された各階の階段室に基づき、各階の前記ドアに設けられる前記電気錠に対し、解錠及び解錠不能を設定する解錠設定手段と、を備え、前記ＬＥＤ制御装置は、前記解錠設定手段が解錠及び解錠不能に設定した前記電気錠に対応するカードリーダに設けたＬＥＤに対し、通常の解錠要否時とは異なる表示を指令するとともに、前記避難階段室設定手段は、前記火元階における最初に動作した熱感知器及び煙感知器の設置位置から遠い階段室を避難階段室に設定し、当該火元階の直上及び直下階の避難階段室は前記火元階の避難階段室とは異なる階段室に設定するものである。
【手続補正２】
【補正対象書類名】明細書
【補正対象項目名】００２２
【補正方法】変更
【補正の内容】
【００２２】
また、避難階段室設定テーブル１２Ａは、横列の各階における動作感知器１２Ａａ〜１２Ａｌと縦列の各階における避難口１２Ａ１〜１２Ａ９で構成され、各階床に設けた熱感知器６Ａ、６Ｂ及び煙感知器７Ａ，７Ｂで、一番先に動作した熱感知器６Ａ，６Ｂ及び煙感知器７Ａ，７Ｂに対し、各階床毎に、避難する階段室１Ａ、１Ｂを設定するテーブルであり、例えば、３階の熱感知器６Ａが動作すると、３階は階段室１Ｂにて建物１の外へ避難する旨を設定し、２階は階段室１Ａにての避難を設定し、３階は階段室１Ｂか図示しない玄関を設定し、火元階から離れた１階については、ここでは設定しない。ここで、避難階段室設定テーブル１２Ａで設定するように、火元の階床と、動作した熱感知器６Ａ，６Ｂ及び煙感知器７Ａ，７Ｂに基づき、火元の階床の避難する階段室１Ａ，１Ｂを設定し（動作した熱感知器６Ａ，６Ｂ及び煙感知器７Ａ，７Ｂより遠い位置にある階段室１Ａ，１Ｂとする）、火元階床の直下階床は火元階床の避難する階段室１Ａ，１Ｂと異なる階段室を設定している。
【手続補正３】
【補正対象書類名】明細書
【補正対象項目名】００２３
【補正方法】変更
【補正の内容】
【００２３】
また、居室別在室人数把握テーブル１２Ｂは、横列に、テナント１２Ｂａ、在室人数１２Ｂｂ、同一階床での割合１２Ｂｃと、縦列に各階のテナントの１２Ｂ１〜１２Ｂ８で構成され、在室人数検出部１４で検出した結果を格納しており、各階のテナント毎に、在室人数１２Ｂｂと、同一階床での割合１２Ｂｃを設定するテーブルであり、例えば、４階のテナント４Ａでは、１８５人が在室しており、４階でのテナント４Ａの割合は、８０％となっている。
【手続補正４】
【補正対象書類名】明細書
【補正対象項目名】００２４
【補正方法】変更
【補正の内容】
【００２４】
また、解錠設定テーブル１２Ｃは、横列の避難階段１２Ｃａ，１２Ｃbと縦列の各階の避難口１２Ｃ１〜１２Ｃ５で構成され、例えば、２階床において設定された避難する階段室１Ａ、１Ｂ別に、カードリーダ２Ａ〜３Ｂに対する電気錠２Ａ４〜３Ｂ４へ解錠指令や解錠阻止指令を設定するテーブルであり、例えば、避難階段室設定テーブル１２Ａの設定で、２階床の避難する階段室がテナントＢであると、テナントＡのカードリーダ２Ａとカードリーダ２Ｂは解錠阻止に設定され、カードリーダ２Ｃは解錠指令に設定され、テナントＢのカードリーダ３Ａとカードリーダ３Ｂは解錠指令に設定され、テナントＡにおいては避難するテナントＢに近いカードリーダ２Ｃが解錠指令に設定されるので、テナントＢを使っての避難を意識せずに行うことが可能となる。
【手続補正５】
【補正対象書類名】明細書
【補正対象項目名】００２７
【補正方法】変更
【補正の内容】
【００２７】
まず、建物１の１階の南側で火災が発生し、１階に設置された煙感知器７Ａが最初に動作した場合、煙感知器７Ａの動作信号がコントローラ４の機器制御装置９へ送信されると（ステップＳ１）、機器制御装置９はカードリーダ２Ａ〜３Ｂに指令していた通常動作（ステップＳ２）を切り離す。ここで、ステップＳ２の通常動作の説明は省略する。
【手続補正６】
【補正対象書類名】明細書
【補正対象項目名】００２８
【補正方法】変更
【補正の内容】
【００２８】
次に、機器制御装置９は、１階に設置されている煙感知器７Ａが最初に動作した旨の信号を避難経路制御装置１３へ送信すると(ステップＳ３)、避難経路制御装置１３は、避難経路データ記憶部１２の避難階段室設定テーブル１２Ａの動作感知器１２Ａａ〜１２Ａｌと避難口１２Ａ１〜１２Ａ９を参照することで、１階の煙感知器７Ａ動作に対応する各階のテナントＡ，Ｂ別の階段室１Ａ，１Ｂの選択を行い、火元の階床である１階のテナントＡ，Ｂは動作した煙感知器７Ａから遠い位置にある階段室１Ｂでの避難を選択し、２階のテナントＡ，Ｂは階段室１Ａでの避難を選択し、火元から離れた３階と４階については、避難経路データ記憶部１２の居室別在室人数把握テーブル１２Ｂの在室人数１２Ｂｂと同一階床での割合１２Ｂｃを参照することで(ステップＳ４)、４階はテナントＡの在室人数が１８５人で、４階での割合が８０％と大半を占めるため、４階のテナントＡ，Ｂは、在室人数が多い階段室１Ａでの避難を選択し、３階も同様に３階の割合が８５％と大半を占めるテナントＢ側の階段室１Ｂを選択(ステップＳ５)。
【手続補正７】
【補正対象書類名】明細書
【補正対象項目名】００２９
【補正方法】変更
【補正の内容】
【００２９】
次に、避難経路制御装置１３は、ステップＳ６にて避難に使用する各階毎の階段室１Ａ，１Ｂの選択した情報と、避難経路データ記憶部１２の解錠設定テーブル１２Ｃの避難階段１２Ｃａ，１２Ｃｂとカードリーダ２Ａ〜３Ｂを参照し、例えば２階における電気錠２Ａ４〜３Ｂ４に対する解施錠を選択し(ステップＳ６)、カードリーダ２Ａ〜３ＢのＬＥＤ２Ａ３〜３Ｂ３の表示に対する点灯指令を選択する(ステップＳ７)。
【手続補正８】
【補正対象書類名】明細書
【補正対象項目名】００３５
【補正方法】変更
【補正の内容】
【００３５】
また、木実施形態によれば、解錠設定テーブル１２Ｃは、当該階床における避難する階段室１Ａ，１Ｂに設定された方向の電気錠２Ａ４〜３Ｃ４を解錠に設定し、避難する階段室１Ａ，１Ｂでない方向の電気錠２Ａ４〜３Ｃ４を解錠不能とするとともに、解錠に設定された電気錠２Ａ４〜３Ｃ４に対応するカードリーダ２Ａ〜３ＢのＬＥＤ２Ａ３〜３Ｂ３を緑色点滅させ、解錠不能に設定された電気錠２Ａ４〜３Ｃ４に対応するカードリーダ２Ａ〜３ＢのＬＥＤ２Ａ３〜３Ｂ３を赤色点滅させることで、テナントＡ，Ｂから避難する階段室lＡ，１Ｂの方向を判断させるようにしたので、速やかなる避難行動が行える。
【手続補正９】
【補正対象書類名】明細書
【補正対象項目名】００３６
【補正方法】変更
【補正の内容】
【００３６】
また、ＬＥＤ２Ａ３〜３Ｂ３の点灯にて避難方向へ誘導するので、特別な表示装置も必要としない。
【手続補正１０】
【補正対象書類名】明細書
【補正対象項目名】００３７
【補正方法】変更
【補正の内容】
【００３７】
本実施形態では、火災発生時のカードリーダ２Ａ〜３ＢのＬＥＤ２Ａ３〜３Ｂ３の表示を、緑色点滅や赤色点滅で説明したが、通常時と異なる表示であれば良く、ブザー等の音声を加味しても同様なる効果が得られる。また、ＬＥＤ２Ａ３〜３Ｂ３の緑色点滅や赤色点滅表示は、火災発生後にＬＥＤ制御装置５の指令によって常時点滅表示となる説明を行ったが、カードリーダ２Ａ〜３Ｂの認証部２Ａ１〜３Ｂ１に図示しないＩＤカードを翳したとき、点滅表示させても同様なる効果が得られる。
【手続補正１１】
【補正対象書類名】特許請求の範囲
【補正対象項目名】全文
【補正方法】変更
【補正の内容】
【特許請求の範囲】
【請求項１】
建物に設けられる複数の居室と、災害発生時に避難階段となる複数の階段室と、前記建物の各階の天井に設けられる複数個の熱感知器及び煙感知器とを有し、前記居室のドアの近傍に設けられ、前記居室の居住者に配布されるＩＤカードに記憶される認証コードを読み込むカードリーダと、前記カードリーダが読み込んだ認証コードに対し、当該ドアに設けた電気錠の解錠の要否を判断する電気錠施解錠判定装置と、前記電気錠施解錠判定装置の判断結果から前記居室毎の在室人数を検出する在室人数検出部と、前記電気錠施解錠判定装置が判断した前記電気錠の解錠の要否に応じ、前記カードリーダに設けたＬＥＤを点灯させるＬＥＤ制御装置と、を備えた入退室管理装置において、
前記在室人数検出部は、前記建物の前記居室の在室人数を計数するとともに、各階床毎の総在室人数に対する前記居室の在室人数割合を演算するものから成り、
前記複数個の前記熱感知器及び前記煙感知器のいずれかが動作すると、前記熱感知器及び前記煙感知器が最初に動作した火元階並びに、火元階の直上階及び直下階以外の各階における避難階段を、前記在室人数検出部が演算した在室人数割合に基づき設定する避難階段設定手段と、
前記避難階段設定手段で設定された各階の階段室に基づき、各階の前記ドアに設けられる前記電気錠に対し、解錠及び解錠不能を設定する解錠設定手段と、
を備えたことを特徴とする入退室管理装置。
【請求項２】
請求項１記載の入退室管理装置において、
前記ＬＥＤ制御装置は、前記解錠設定手段が解錠及び解錠不能に設定した前記電気錠に対応する前記カードリーダに設けたＬＥＤに対し、通常の解錠要否時とは異なる表示を指令することを特徴とする入退室管理装置。
【請求項３】
請求項１または請求項２記載の入退室管理装置において、
前記避難階段設定手段は、前記火元階における最初に動作した前記熱感知器及び前記煙感知器の設置位置から遠い階段室を避難階段室に設定し、当該火元階の直上及び直下階の避難階段室は前記火元階の避難階段室とは異なる階段室に設定することを特徴とする入退室管理装置。